(57)【特許請求の範囲】
【請求項１】
おおむね平行に間隔ｈで対向させて配置した長さＬとほぼ１／４波長の長さＷの辺を持つ２枚の方形導体板と、前記２枚の方形導体板の対向する一方の長さＬの辺同士を接続する長さＬと長さｈの辺を持つ方形側面導体板とからなる放射素子を複数有し、前記複数の放射素子を前記方形側面導体板の方向をそろえて所定の間隔で平面状に一列に直線的に配列したリニアアレーアンテナであって、少なくとも前記放射素子の方形導体板のそれぞれ隣り合う長さＷの辺同士を部分的に接続する接続導体板と、前記複数の放射素子に所定の励振をおこなう給電手段とを備えたことを特徴とするリニアアレーアンテナ。
【請求項２】
前記給電手段は、前記放射素子の２枚の方形導体板の同じ側に配置された一方の面と前記方形導体板の一方の面のそれぞれ隣り合う長さＷの辺同士を部分的に接続する前記接続導体板とからなる導体板をグランド導体とすると共に前記導体板から一定間隔を隔ててストリップ導体を配置して形成したマイクロストリップ線路と、前記放射素子毎に前記方形導体板の長さＬの辺のおおむね垂直２等分線上に設けられ、前記方形導体板の一方の面に設けた穴を貫通して前記ストリップ導体と前記方形導体板の一方の面に対向させて配置した方形導体板とを接続する給電ピンとを備えたことを特徴とする請求項１記載のリニアアレーアンテナ。
【請求項３】
前記給電手段は、前記放射素子の２枚の方形導体板の同じ側に配置された一方の面と前記方形導体板の一方の面のそれぞれ隣り合う長さＷの辺同士を部分的に接続する前記接続導体板とからなる導体板をグランド導体とすると共に前記導体板から一定間隔を隔ててストリップ導体を配置して形成したマイクロストリップ線路と、前記放射素子毎に前記方形導体板の一方の面に設けられ、前記ストリップ導体と前記方形導体板の一方の面に対向させて配置した方形導体板とを電磁結合するスロットとを備えたことを特徴とする請求項１記載のリニアアレーアンテナ。
【請求項４】
前記マイクロストリップ線路に代えて、前記放射素子の２枚の方形導体板の同じ側に配置された一方の面と前記方形導体板の一方の面のそれぞれ隣り合う長さＷの辺同士を部分的に接続する前記接続導体板とからなる導体板をグランド導体とすると共に前記導体板から一定間隔を隔ててストリップ導体を配置し、さらに、前記ストリップ導体から一定間隔を隔ててグランド導体となる導体板を配置して形成したトリプレート線路を備えたことを特徴とする請求項２又は請求項３記載のリニアアレーアンテナ。
【請求項５】
一枚の導体平板上に形成された形状であって、前記方形側面導体板の長さＬの辺のそれぞれに続けて前記放射素子の方形導体板を延在させた形状の放射素子部が前記所定の間隔で前記方形側面導体板の長さＬの辺のそれぞれが前記導体平板上の間隔ｈで配置された直線Ｍと直線Ｎ上に並ぶように複数個配列され、少なくとも前記放射素子部の前記方形導体板のそれぞれ隣り合う長さＷの辺同士を部分的に接続する前記接続導体板が配置された形状の導体平板を、前記直線Ｍと直線Ｎの２箇所で折り曲げて製作した断面がコの字型の前記放射素子と前記接続導体とを備えたことを特徴とする請求項１記載のリニアアレーアンテナ。
【請求項６】
一枚の導体平板上に形成された形状であって、前記方形側面導体板の長さＬの辺のそれぞれに続けて前記放射素子の方形導体板を延在させた形状の放射素子部が前記所定の間隔で前記方形側面導体板の長さＬの辺のそれぞれが前記導体平板上の間隔ｈで配置された直線Ｍと直線Ｎ上に並ぶように複数個配列され、少なくとも前記放射素子部の前記方形導体板のそれぞれ隣り合う長さＷの辺同士を部分的に接続する前記接続導体板が配置され、かつ、前記接続導体が接続する前記放射素子の方形導体板の長さＬの辺のおおむね垂直２等分線上に前記穴を設けた形状の導体平板を、前記直線Ｍと直線Ｎの２箇所で折り曲げて製作した断面がコの字型の前記放射素子と前記接続導体とを備えたことを特徴とする請求項２、３、又は４記載のリニアアレーアンテナ。
【請求項７】
一枚の導体平板上に形成された形状であって、前記方形側面導体板の長さＬの辺のそれぞれに続けて前記放射素子の方形導体板を延在させた形状の放射素子部が前記所定の間隔で前記方形側面導体板の長さＬの辺のそれぞれが前記導体平板上の間隔ｈで配置された直線Ｍと直線Ｎ上に並ぶように複数個配列され、少なくとも前記放射素子部の前記方形導体板のそれぞれ隣り合う長さＷの辺同士を部分的に接続する前記接続導体板が配置され、かつ、前記接続導体が接続する前記放射素子の方形導体板に前記スロットを設けた形状の導体平板を、前記直線Ｍと直線Ｎの２箇所で折り曲げて製作した断面がコの字型の前記放射素子と前記接続導体とを備えたことを特徴とする請求項２、３、又は４記載のリニアアレーアンテナ。
【請求項８】
前記ｈの寸法を使用波長に比べて十分小さくしたことを特徴とする請求項１〜７のいずれか１項に記載のリニアアレーアンテナ。
【請求項９】
金属板を打ち抜き加工により製作したことを特徴とする請求項５、６、又は７記載の導体平板。
【請求項１０】
金属板を放電加工により製作したことを特徴とする請求項５、６、又は７記載の導体平板。
【請求項１１】
前記ｈの寸法を使用波長に比べて十分小さくしたことを特徴とする請求項９又は請求項１０記載の導体平板。
【請求項１２】
請求項９、１０、又は１１記載の導体平板を、前記直線Ｍと直線Ｎの２箇所で折り曲げて製作した断面がコの字型の前記放射素子と前記接続導体とを備えたことを特徴とする導体平板。
【発明の詳細な説明】
【技術分野】
【０００１】
この発明は、リニアアレーアンテナに関し、より詳細には、構造が簡単で、製造が容易で、かつアンテナ横幅の小さい水平偏波を水平面に放射するリニアアレーアンテナに関するものであり、さらには、携帯電話、ＰＨＳ等の移動体通信基地局に使用される水平偏波水平面無指向性アンテナに関する。
【背景技術】
【０００２】
移動体通信基地局用アンテナには、水平偏波の水平面無指向性が要求されることがある。一般には、素子アンテナを複数個垂直に並べてリニアアレーアンテナとし、高利得なアンテナとする。また、ユーザの要求に応じて、ビーム方向を水平方向から数度あるいは数十度チルトさせる。さらに、アンテナの横幅はなるべく小さいことが望ましい。したがって、移動体通信基地局用アンテナは、多くの場合、径が細い円筒状のレドームの中にリニアアレーアンテナを設置する。
【０００３】
水平偏波水平面無指向性を得るものとしては、例えば、特許第３５５１２２７号のように、トリプレート線路の周囲に一対のアンテナ素子を折り曲げて設け、トリプレート線路のストリップ導体から給電ピンで給電するものがある。また、特開２００３−６９３３２のように、一対のアンテナ素子を基板の上に折り曲げて設け、マイクロストリップ線路により給電するものがある。
【０００４】
さらに、特開２０００−９１８３５のように、キャビティ形状の導体の一面をスロットとし、マイクロストリップ線路により給電したスロットアンテナがある。この文献では、リニアアレーアンテナとする場合には、このスロットアンテナを放射スロットが交互に逆方向を向くようにして垂直方向に積み重ね、かつ交互に逆相給電している。
【０００５】
【特許文献１】特許第３５５１２２７号特開２００３−６９３３２特開２０００−９１８３５
【発明の開示】
【発明が解決しようとする課題】
【０００６】
以上の水平偏波水平面無指向性アンテナのうち、特許第３５５１２２７号と特開２００３−６９３３２は、水平面無指向性を得るのに一対のアンテナ素子を使用しているため、素子数が多くなり、給電線路を含めたアンテナ構成が複雑となるという問題点がある。
【０００７】
また、特開２０００−９１８３５のリニアアレーアンテナでは、隣接するスロット素子に逆相給電するが、一般に放射スロットの長辺の長さは半波長であるため、素子間隔は半波長である。しかし、マイクロストリップ線路は一般に、１より大きい比誘電率を有する基板上に作成されるため、波長短縮が生じ、隣接するスロットを直列に給電すると、１８０°以上の位相遅れが生じ、逆相給電が困難である。したがって、マイクロストリップ線路をより長くして、３６０°×ｎ＋１８０°（ｎ：整数）の位相遅れで逆相を得るなど、結果としてアンテナ全体の構造が複雑となる問題点がある。さらに、特開２０００−９１８３５では、ビームをチルトさせる方法については示されていない。
【０００８】
この発明は、上述のような課題を解決するためになされたもので、構造が簡単で、製造が容易で、かつアンテナ横幅の小さい水平偏波を水平面に放射するリニアアレーアンテナを得ることを目的とする。
【０００９】
また、この発明は、構造が簡単で、製造が容易で、かつアンテナ横幅の小さい水平偏波水平面無指向性リニアアレーアンテナを得ることを目的とする。
【課題を解決するための手段】
【００１０】
この発明に係わるリニアアレーアンテナにおいては、おおむね平行に間隔ｈで対向させて配置した長さＬとほぼ１／４波長の長さＷの辺を持つ２枚の方形導体板と、前記２枚の方形導体板の対向する一方の長さＬの辺同士を接続する長さＬと長さｈの辺を持つ方形側面導体板とからなる放射素子を複数有し、前記複数の放射素子を前記方形側面導体板の方向をそろえて所定の間隔で平面状に一列に直線的に配列すると共に、少なくとも前記放射素子の方形導体板のそれぞれ隣り合う長さＷの辺同士を部分的に接続する接続導体板と、前記複数の放射素子に所定の励振をおこなう給電手段とを備えたものである。
【発明の効果】
【００１１】
この発明は、おおむね平行に間隔ｈで対向させて配置した長さＬとほぼ１／４波長の長さＷの辺を持つ２枚の方形導体板と、前記２枚の方形導体板の対向する一方の長さＬの辺同士を接続する長さＬと長さｈの辺を持つ方形側面導体板とからなる放射素子を複数有し、前記複数の放射素子を前記方形側面導体板の方向をそろえて所定の間隔で平面状に一列に直線的に配列してリニアアレーアンテナを構成しており、所定の形状の導体平板を２箇所で折り曲げて断面がコの字型の放射素子を製作できるため、構造が簡単で、製造が容易で、かつアンテナ横幅の小さいリニアアレーアンテナを得られる。
また、前記ｈの寸法を使用波長に比べて十分に小さくすることにより、構造が簡単で、製造が容易で、かつアンテナ横幅の小さい水平偏波水平面無指向性リニアアレーアンテナを得られる。
【発明を実施するための最良の形態】
【００１２】
実施の形態１．
図１は、この発明の実施の形態１に係るリニアアレーアンテナの構成を示す斜視図である。図２は、この発明の実施の形態１に係るリニアアレーアンテナの構成を示す正面図である。図３は、この発明の実施の形態１に係るリニアアレーアンテナ用の導体平板を説明する図であり、導体平板によるリニアアレーアンテナの放射素子部の製造方法も説明する図である。なお、各図中、同一符号は同一又は相当部分を示す。
【００１３】
図１、図２において、この実施の形態１に係るリニアアレーアンテナには、断面（ｘｚ面）がコの字型に形成された導体であるコの字型導体１、コの字型導体２と、給電ピン３とが設けられている。コの字型導体１とコの字型導体２は、コの字型導体１がコの字型導体２を挟むように、交互に接続される。また、給電ピン３は、コの字型導体１の上面と下面を接続しており、１個のコの字型導体１につき１個設置される。ここで、図１、図２に示した座標系において、ｘｚ面を水平面として説明する。また、ｘｚ面に電界が平行な偏波を水平偏波、垂直な偏波を垂直偏波とする。
【００１４】
図２、図３において、コの字型導体１の幅Ｗ１は、コの字型導体２の幅Ｗ2より大きく、おおむね４分の１波長である。コの字型導体１の長さＬ１は、おおむね２分の１波長以下である。給電ピン３は、コの字型導体１の上面の長さＬ１の辺（以下辺Ａ）の垂直２等分線上に設置される。また、コの字型導体１、２の高さｈは波長に比べて十分に小さい。
【００１５】
次にこの実施の形態１に係るリニアアレーアンテナの動作について説明する。ここで、コの字型導体１はショートパッチアンテナとして動作する。ショートパッチアンテナとは、パッチアンテナの小型化のため、基本モードで励振された方形パッチアンテナの素子中央部に存在する零電位面を導体板により短絡したアンテナである。ここで、コの字型導体１の幅Ｗ１は使用波長のおおむね４分の１波長であるので、コの字型導体１の下面を放射パッチ、上面を放射パッチと大きさが同じ地板、側面を短絡板と見なすことができる。給電ピンは、コの字型導体１の上面の辺Ａの垂直２等分線上に設置されているので、電流がコの字型導体１の下面の長さＷ１の辺の方向に流れ、水平偏波が励振される。
【００１６】
また、パッチアンテナからの放射は、一般に開放境界に流れる磁流からの放射と見なすことができる。ショートパッチアンテナの場合は、図２において、磁流４、磁流５、磁流６からの放射と見なすことができる。このうち、磁流５と磁流６は逆向きであるので、磁流５と磁流６からの放射は水平面（ｘｚ面）では互いに打ち消し合い、磁流５と磁流６の寄与を無視することができる。すなわち、磁流４のみが放射に寄与する。したがって、水平偏波が水平面に放射される。また、一般に、アンテナからのビームの電力半値幅は、（波長／アンテナ開口径）に比例する。この実施の形態１のリニアアレーアンテナでは、上記のようにコの字型導体１、２の高さｈを波長に比べて十分に小さくした場合を例示しており、磁流４が流れる開放境界の高さｈが波長より十分小さい場合には、水平偏波が水平面でほぼ無指向性となる放射パターンが得られる。
【００１７】
複数個のコの字型導体１はリニアアレーアンテナを構成しており、素子間隔（Ｌ１＋Ｌ２）をグレーティングローブが発生しない寸法とすることが望ましい。例えば、水平面にビームを向ける場合は、素子間隔を１波長以下とする。また、ビームを水平面からθ0だけ傾いた面まで振る場合は、素子間隔を｛波長／（１＋｜ｓｉｎθ0｜）｝以下とする。
【００１８】
それぞれのコの字型導体１に同位相で給電すると、水平方向にビームを向けることができる。また、コの字型導体１ごとに所定の給電位相を与えると、水平面からチルトした方向にビームを向けることもできる。
【００１９】
この発明に係わるリニアアレーアンテナは、ｙ方向に立てて使用することが想定され、コの字型導体２の幅Ｗ2は、板厚・材質なども考慮し、機械的強度を得られるよう設計する。なお、ｙ方向に立てて使用する以外の使用もでき、使用状況を考慮して設計すれば良い。
【００２０】
さらに、このリニアアレーアンテナは、図３に示したような形状の導体平板を、図３の点線で直角に折り曲げることにより製作することができる。従って、導体平板の型抜き及びプレスまたは板金加工などの製造方法により、リニアアレーアンテナの主要部分である放射素子部を形成するコの字型導体部を容易に量産できる。
【００２１】
また、図３におけるコの字型導体２に対応する部位の形状は、上記図３の例示に限らず、適宜変形、片側の幅Ｗ2の部位のみ残し他方の幅Ｗ2の部分を削除したり、また、幅ｈの部位も適宜変形、一部分または全部を削除しても良い。
【００２２】
以上のように、この発明によれば、構造が簡単で、製造が容易であり、かつアンテナ横幅の小さいリニアアレーアンテナを得られるという効果を奏する。
また、上記説明のように、コの字型導体１、２の高さｈを波長に比べて十分に小さくすることにより、構造が簡単で、製造が容易で、かつアンテナ横幅の小さい水平偏波水平面無指向性リニアアレーアンテナを得られるという効果を有する。
【００２３】
実施の形態２．
図４は、この発明の実施の形態２に係るリニアアレーアンテナの構成を示す斜視図である。この実施の形態２は、実施の形態１で示したリニアアレーアンテナについてマイクロストリップ線路により給電する場合を例示するものである。図４において、７は誘電体基板、８はストリップ導体、９は結合器、１０は分配器、１１は給電ピン３と結合器９または分配器１０を接続するためにコの字型導体１及び誘電体基板７に設けた穴である。
【００２４】
この実施の形態２に係るリニアアレーアンテナでは、図４に示すようにコの字型導体１、２の上面にストリップ導体８が設けられた誘電体基板７が設置されている。このようにして、ストリップ導体８と、グランド導体となるコの字型導体１、２の上面からマイクロストリップ線路が構成されている。
【００２５】
実施の形態２は、マイクロストリップ線路の這わせ方まで特定するものではないが、ストリップ導体８は、結合器９あるいは分配器１０などを介して、給電ピン３に接続される。給電ピン３は、コの字型導体１の上面に空けた穴１１を通り、コの字型導体１の下面に接続される。なお、給電ピン３は、コの字型導体１の上面に電気的に接続させないようにコの字型導体１の上面に空けた穴１１を貫通させている。
【００２６】
以上のように構成され、コの字型導体１でなる複数個の放射素子は、マイクロストリップ線路により、給電ピンを介して、所望のビームを得るのに適当な振幅、位相でそれぞれ給電される。
【００２７】
なお、ここでは誘電体基板７が１層の場合を例示して説明したが、誘電体基板の層数はこれに限らず複数でもよく、１層に特定するものではない。
【００２８】
また、図５は、図４に示すリニアアレーアンテナのｙｚ面での断面構成の一例を示す断面図である。誘電体基板７には、図５に例示するように空気層１２が含まれていても良い。図５のように空気層１２がある場合は、誘電体基板７をスペーサ等で支持する。
【００２９】
以上のように、給電用のマイクロストリップ線路をコの字型導体１、２の上に設置することにより、構造が簡単で、製造が容易であり、かつアンテナ横幅の小さいリニアアレーアンテナを得られるという効果を奏する。
また、コの字型導体１、２の高さｈを波長に比べて十分に小さくすることにより、構造が簡単で、製造が容易で、かつアンテナ横幅の小さい水平偏波水平面無指向性リニアアレーアンテナを得られるという効果を有する。
【００３０】
実施の形態３．
図６は、この発明の実施の形態３に係るリニアアレーアンテナの構成を示す斜視図である。この実施の形態３は、実施の形態１で示したリニアアレーアンテナについてスロットを介した電磁結合により給電する場合を例示するものである。図６において、１３はコの字型導体１の上面に形成されたスロットであり、スロット１３を介した電磁結合により給電する構成である。なお、スロット１３は実施の形態１の給電ピンについての説明同様であり、コの字型導体１の上面の辺Ａの垂直２等分線上に形成するので、電流がコの字型導体１の上面の長さＷ１の辺の方向に流れ、水平偏波が励振される。
【００３１】
図６において、この実施の形態３に係るリニアアレーアンテナには、コの字型導体１、２の上面に、誘電体基板７が設置されている構成を例示する。また、誘電体基板７の上面には、ストリップ導体８が設置されている。ストリップ導体８は、コの字型導体１、２の上面をグランド導体として、マイクロストリップ線路を構成している。
【００３２】
また、コの字型導体１の上面には、スロット１３が空けられている。スロット１３は、１つのコの字型導体１につき１つ設けられる。ここで、長方形のスロット１３の長辺は、スロット１３の上の誘電体基板７に這い回されたマイクロストリップ線路の向きと直交しており、また、辺Ａと平行である。したがって、マイクロストリップ線路によりスロット１３を介して、コの字型導体１の下面（パッチ）が共振し、電流はコの字型導体１の下面の長さＷ１の方向に流れ、水平偏波が励振される。コの字型導体１の下面の長さＷ１が共振する長さになっているため、結合用のスロット１３は共振しなくてもよく、長方形のスロット１３の長辺の長さは１／２波長より短い。なお、スロット１３の形状は、図６に例示したような長方形に限るものではなく、Ｈ型等あらゆる構造が考えられる。
【００３３】
また、この実施の形態３では、マイクロストリップ線路のストリップ導体５の這わせ方まで特定する必要はなく、ストリップ導体５は、結合器６あるいは分配器７などを介して、スロット１３の長辺と直交するように配置する場合を例示する。そして、スロット１３を介した電磁結合によりコの字型導体１に給電される。
【００３４】
以上のように構成され、コの字型導体１でなる複数個の放射素子は、マイクロストリップ線路により、スロット１３を介して、所望のビームを得るのに適当な振幅、位相でそれぞれ給電される。
【００３５】
なお、ここでは誘電体基板７が１層の場合を例示して説明したが、誘電体基板の層数はこれに限らず複数でもよく、１層に特定するものではない。
また、前記実施の形態２で説明したように、誘電体基板７には空気層９が含まれていても良い。
【００３６】
ここで、移動体通信基地局用アンテナでは、給電ピン、コネクタなど入出力に非直線性のある受動部品を使用すると、ＰＩＭ（Ｐａｓｓｉｖｅ Ｉｎｔｅｒｍｏｄｕｌａｔｉｏｎ）が発生し通信に悪影響を与える。しかし、この実施の形態３のように、スロットを介した電磁結合によりコの字型導体１でなる放射素子に給電すると、給電ピンを使用する場合と比較して、ＰＩＭの発生を抑制できるという利点がある。また、給電ピンを使用しないので、製造がさらに簡易になるという効果がある。
【００３７】
以上のように、コの字型導体１、２の上に設置したマイクロストリップ線路からスロット１３を介した電磁結合により給電することにより、給電ピンを使用する場合と比較して、ＰＩＭが小さく、構造が簡単で、製造がさらに容易であり、かつアンテナ横幅の小さいリニアアレーアンテナを得られるという効果を奏する。
また、コの字型導体１、２の高さｈを波長に比べて十分に小さくすることにより、水平偏波水平面無指向性リニアアレーアンテナを得られるという効果を有する。
【００３８】
実施の形態４．
図７は、この発明の実施の形態４に係るリニアアレーアンテナの構成を示す斜視図である。この実施の形態４は、実施の形態２で示したリニアアレーアンテナについて、給電線路などをマイクロストリップ線路ではなくトリプレート線路により構成した場合を例示するものである。図７において、１４はコの字型導体１、２の上面に設けた２層の誘電体基板、１５は誘電体基板１４の外側に設けられたグランド導体であり、誘電体基板１４の層間に形成されたストリップ導体８、結合器９、分配器１０、およびグランド導体１５とコの字型導体１、２の上面によりトリプレート線路が構成されている。また、結合器９または分配器１０は給電ピン３と接続されている。
【００３９】
以上のようにトリプレート線路により給電線路を構成すれば、給電線路からの不要放射を抑制できるという利点を有する。
【００４０】
なお、ここでは誘電体基板１４が２層の場合を例示して説明したが、誘電体基板の層数はこれに限らず、３層以上でもよく２層に特定するものではない。
また、誘電体基板１４には、空気層が含まれていても良い。
【００４１】
また、図７は、実施の形態２で示した給電ピン３を介して給電する場合について、給電線路などをマイクロストリップ線路ではなくトリプレート線路により構成した場合を例示するものであるが、実施の形態３で示したスロット１３を介して給電する場合について、給電線路などをマイクロストリップ線路ではなくトリプレート線路により構成した場合にも同様に給電線路からの不要放射を抑制できるという利点を有する。
【００４２】
以上のように、コの字型導体１、２の上に設置したトリプレート線路により給電することにより、給電線路からの不要放射が少なく、構造が簡単で、製造が容易であり、かつアンテナ横幅の小さいリニアアレーアンテナを得られるという効果を奏する。
また、コの字型導体１、２の高さｈを波長に比べて十分に小さくすることにより、水平偏波水平面無指向性リニアアレーアンテナを得られるという効果を有する。
【図面の簡単な説明】
【００４３】
【図１】この発明の実施の形態１に係るリニアアレーアンテナの構成を示す斜視図である。
【図２】この発明の実施の形態１に係るリニアアレーアンテナの構成を示す正面図である。
【図３】この発明の実施の形態１に係るリニアアレーアンテナ用の導体平板および放射素子部の製造方法を説明する図である。
【図４】この発明の実施の形態２に係るリニアアレーアンテナの構成を示す斜視図である。
【図５】図４に示すリニアアレーアンテナのｙｚ面での断面構成の一例を示す断面図である。
【図６】この発明の実施の形態３に係るリニアアレーアンテナの構成を示す斜視図である。
【図７】この発明の実施の形態４に係るリニアアレーアンテナの構成を示す斜視図である。
【符号の説明】
【００４４】
１、２  コの字型導体、３  給電ピン、４、５、６  磁流、７  誘電体基板、８  ストリップ導体、９  結合器、１０  分配器、１１  穴、１２  空気層、１３  スロット、１４  誘電体基板、１５  グランド導体。
【図１】
0004424276.tif 000002
【図２】
0004424276.tif 000003
【図３】
0004424276.tif 000004
【図４】
0004424276.tif 000005
【図５】
0004424276.tif 000006
【図６】
0004424276.tif 000007
【図７】
0004424276.tif 000008